(57)【要約】【課題】  ステープルや粘着テープ等を用いずとも容易に開閉できるフラップ板を備えた包装用箱とその箱を使用した包装部材の提供【解決手段】  前後方向に間隔を置いて平行配置された方形状の前側板１１及び後側板１２と、前後両側板の側縁間に配置された左側板１３及び右側板１４と、前側板１１及び後側板１２の上縁部にそれぞれ折り目１５を介して一体に形成された下側フラップ板１６，１６と、左側板１３及び右側板１４の上縁部にそれぞれ折り目１７を介して一体に形成された上側フラップ板１８，１８とを備え、下側フラップ板１６に係止孔２７，２７…を形成するとともに、上側フラップ板１８に係止孔２７と互いに係合する切り起し片２８を切れ目を入れることにより形成し、下側フラップ板１６に上側フラップ板１８を重ね合わせ、切り起し片２８を下向きに押すことにより係止孔２７に係止させる。【選択図】  図１
2006206068.tif 000002
【特許請求の範囲】
【請求項１】
前後方向に間隔を置いて平行配置された方形状の前側板及び後側板と、該前後両側板の側縁間に配置された左側板及び右側板と、前記前側板及び／又は後側板の上縁部にそれぞれ折り目を介して一体に形成された下側フラップ板と、前記左側板及び／又は右側板の上縁部にそれぞれ折り目を介して一体に形成された上側フラップ板とを備え、前記折り目より折り曲げた下側フラップ板の上側に、前記折り目より折り曲げた上側フラップ板が重なるようにしてなる包装用箱において、
前記下側フラップ板に係止孔を形成するとともに、前記上側フラップ板に前記係止孔と互いに係合する切り起し片を切れ目を入れることにより形成し、前記下側フラップ板に前記上側フラップ板を重ね合わせ、前記切り起し片を下向きに押すことにより前記係止孔に係止させるようにしたことを特徴としてなる包装用箱。
【請求項２】
下側フラップ板の両側縁に、上側フラップ板の折り目側縁部に形成された係止用孔に係止される係止突起を備えた請求項１に記載の包装用箱。
【請求項３】
下方が開口した包装用箱と、該包装用箱内に収容される内箱とを備え、
前記包装用箱は、前後方向に間隔を置いて平行配置された方形状の前側板及び後側板と、該前後両側板の側縁間に配置された左側板及び右側板と、前記前側板及び後側板の上縁部にそれぞれ折り目を介して一体に形成された下側フラップ板と、前記左側板及び右側板の上縁部にそれぞれ折り目を介して一体に形成された上側フラップ板とを有し、前記下側フラップ板に係止孔を形成するとともに、前記上側フラップ板に前記係止孔と互いに係合する切り起し片を切れ目を入れることにより形成し、前記下側フラップ板に前記上側フラップ板を重ね合わせ、前記切り起し片を下向きに押すことにより前記係止孔に係止させるようにしたことを特徴としてなる包装部材。
【請求項４】
包装用箱は、その下端隅部に側板の下縁と平行な切れ目を入れることにより、反転して内側に突出する抜け止め部を形成した請求項３に記載の包装部材。
【発明の詳細な説明】
【技術分野】
【０００１】
本発明は、野菜の梱包や化粧箱等の外カバー等に使用される包装用箱及びその箱を使用した包装部材に関する。
【背景技術】
【０００２】
従来、上面部に各側板の上縁に折り目を介して一体に形成されたフラップ板を有する包装用箱が知られている。
【０００３】
この包装用箱は、段ボール紙製の板状材を所定の形状に打ち抜き、それを組立てることにより形成され、前後方向に間隔を置いて平行配置された方形状の前側板及び後側板と、前後両側板の側縁間に配置された左側板及び右側板と、前側板及び後側板の上縁部にそれぞれ折り目を介して一体に形成された下側フラップ板と、左側板及び右側板の上縁部にそれぞれ折り目を介して一体に形成された上側フラップ板とを備え、折り目より折り曲げた下側フラップ板の上側に、折り目より折り曲げた上側フラップ板を重ねあわせ、上側フラップ板と下側フラップ板との重なり合った部分を表面側からステープルで止着したり、粘着テープを用いて貼り合せることにより箱の上面部に蓋部を形成している。
【発明の開示】
【発明が解決しようとする課題】
【０００４】
しかし、上述のような従来の技術では、箱を組み立てる際にステープルや粘着テープ等を用いる為に組み立てることが煩雑になり、一方、箱を解体する際にもステープルを外したり接着テープを剥がしたりしなければならないので、作業が煩雑になり、また、ステープルを外したり接着テープを剥がしたりする際に、段ボール箱が破損して綺麗な状態で再度利用ができないという問題があった。
【０００５】
更に、ステープルを使用する場合、ステープルが誤って野菜などの収容物に混入してしまうおそれもあった。
【０００６】
本発明は、このような従来の技術の状況を鑑み、ステープルや粘着テープ等を用いずとも容易に開閉できるフラップ板を備えた包装用箱とその箱を使用した包装部材の提供を目的とする。
【課題を解決するための手段】
【０００７】
上述の如き従来の問題を解決し、所期の目的を達成するための請求項１に記載の発明は、前後方向に間隔を置いて平行配置された方形状の前側板及び後側板と、該前後両側板の側縁間に配置された左側板及び右側板と、前記前側板及び／又は後側板の上縁部にそれぞれ折り目を介して一体に形成された下側フラップ板と、前記左側板及び／又は右側板の上縁部にそれぞれ折り目を介して一体に形成された上側フラップ板とを備え、前記折り目より折り曲げた下側フラップ板の上側に、前記折り目より折り曲げた上側フラップ板が重なるようにしてなる包装用箱において、前記下側フラップ板に係止孔を形成するとともに、前記上側フラップ板に前記係止孔と互いに係合する切り起し片を切れ目を入れることにより形成し、前記下側フラップ板に前記上側フラップ板を重ね合わせ、前記切り起し片を下向きに押すことにより前記係止孔に係止させるようにした包装用箱であることを特徴とする。
【０００８】
請求項２に記載の発明は、請求項１の構成に加え、下側フラップ板の両側縁に、上側フラップ板の折り目側縁部に形成された係止孔に係止される係止突起を備えたことを特徴とする。
【０００９】
請求項３に記載の発明は、下方が開口した包装用箱と、該包装用箱内に収容される内箱とを備え、前記包装用箱は、前後方向に間隔を置いて平行配置された方形状の前側板及び後側板と、該前後両側板の側縁間に配置された左側板及び右側板と、前記前側板及び後側板の上縁部にそれぞれ折り目を介して一体に形成された下側フラップ板と、前記左側板及び右側板の上縁部にそれぞれ折り目を介して一体に形成された上側フラップ板とを有し、前記下側フラップ板に係止孔を形成するとともに、前記上側フラップ板に前記係止孔と互いに係合する切り起し片を切れ目を入れることにより形成し、前記下側フラップ板に前記上側フラップ板を重ね合わせ、前記切り起し片を下向きに押すことにより前記係止孔に係止させるようにしたことを特徴としてなる包装部材であることを特徴とする。
【００１０】
請求項４に記載の発明は、請求項３の構成に加え、包装用箱は、その下端隅部に側板の下縁と平行な切れ目を入れることにより、反転して内側に突出する抜け止め部を形成したことを特徴とする
【発明の効果】
【００１１】
本発明に係る包装用箱は、前後方向に間隔を置いて平行配置された方形状の前側板及び後側板と、該前後両側板の側縁間に配置された左側板及び右側板と、前記前側板及び／又は後側板の上縁部にそれぞれ折り目を介して一体に形成された下側フラップ板と、前記左側板及び／又は右側板の上縁部にそれぞれ折り目を介して一体に形成された上側フラップ板とを備え、前記折り目より折り曲げた下側フラップ板の上側に、前記折り目より折り曲げた上側フラップ板が重なるようにしてなる包装用箱において、前記下側フラップ板に係止孔を形成するとともに、前記上側フラップ板に前記係止孔と互いに係合する切り起し片を切れ目を入れることにより形成し、前記下側フラップ板に前記上側フラップ板を重ね合わせ、前記切り起し片を下向きに押すことにより前記係止孔に係止させるようにしたことによって、ステープルや粘着テープを使用せずに、上下両側フラップ板を容易に閉じることができ、また、箱を破壊せずに好適にフラップ板を開くことができ、好適に再利用することができる。
【００１２】
下側フラップ板の両側縁に、上側フラップ板の折り目側縁部に形成された係止孔に係止される係止突起を備えたことによって、下側フラップ板が左右側板に安定した状態で支持され、係止孔に対する切り起し片の着脱を安定した状態で好適に行うことができる。
【００１３】
本発明にかかる包装部材は、下方が開口した包装用箱と、該包装用箱内に収容される内箱とを備え、前記包装用箱は、前後方向に間隔を置いて平行配置された方形状の前側板及び後側板と、該前後両側板の側縁間に配置された左側板及び右側板と、前記前側板及び後側板の上縁部にそれぞれ折り目を介して一体に形成された下側フラップ板と、前記左側板及び右側板の上縁部にそれぞれ折り目を介して一体に形成された上側フラップ板とを有し、前記下側フラップ板に係止孔を形成するとともに、前記上側フラップ板に前記係止孔と互いに係合する切り起し片を切れ目を入れることにより形成し、前記下側フラップ板に前記上側フラップ板を重ね合わせ、前記切り起し片を下向きに押すことにより前記係止孔に係止させるようにしたことによって、好適に包装用箱内に内箱を収容してカバーすることができるとともに、包装用箱より内箱を取り出す際には、フラップ板を開くことによって容易に上面開口より取り出すことも可能となる。
【００１４】
包装用箱は、その下端隅部に側板の下縁と平行な切れ目を入れることにより、反転して内側に突出する抜け止め部を形成したことによって、持ち運びの際等に、内箱が下面の開口より抜け落ちるのを好適に防止することができる。
【発明を実施するための最良の形態】
【００１５】
次に、本発明に係る包装用箱及び包装部材について説明する。
【００１６】
図１は、本発明に係る包装用箱の一例を示し、図中符号１０は包装用箱である。尚、図中に示す方向をそれぞれ前後左右上下として説明する。
【００１７】
包装用箱１０は、ボール紙、段ボール紙等の紙板状材を図２に示す展開図に示す形状に打ち抜き、それを折曲加工することにより、前後方向に間隔を置いて配置された前側板１１及び後側板１２と、前後両側板１１，１２の側縁間に配置された左側板１３及び右側板１４と、前後両側板１１，１２の上縁にそれぞれ折り目１５を介して一体に形成された下側フラップ板１６，１６と、左右両側板１３，１４の上縁にそれぞれ折り目１７を介して一体に形成された上側フラップ板１８，１８とを備えた下面が開口した箱状に形成されている。
【００１８】
前側板１１、右側板１４、後側板１２及び左側板１３は、折り目１９〜２１を介して連設され、左側板１３の前側縁部に折り目２２を介して一体に形成された糊しろ２３を前側板１１の左側縁部に接着剤等で貼着することにより前側板１１と左側板１３とが連結されている。
【００１９】
また、前側板１１には、中央部に透視窓２４が形成され、内部に収容された内箱の様子を見ることができるようになっている。
【００２０】
下側フラップ板１６は、前側板１１及び後側板１２の上縁部に折り目１５を介して一体に形成され、その両側縁には、上側フラップ板１８の折り目側の縁部に形成された係止用孔２５に係止される係止突部２６，２６が一体に形成されている。
【００２１】
また、下側フラップ板１６の上側フラップ板１８と重なり合う部分には、係止孔２７，２７が形成されている。
【００２２】
この係止孔２７は、要側を側縁側に配置した扇形状に形成され、この扇形は、要側直線部の端と円弧部の端とを結ぶ両側内縁が互いに対称配置の円弧状に形成されている。
【００２３】
一方、上側フラップ板１８は、左側板１３及び右側板１４の上縁に折り目１７を介して一体に形成され、その折り目側縁部には、係止突部２６が挿入される折り目１７と平行な横向きスリット状の係止用孔２５，２５が形成されている。
【００２４】
また、この上側フラップ板１８の下側フラップ板１６と重なり合う部分には、係止孔２７の位置に合わせて切り起し片２８，２８が切れ目を入れることにより形成されている。
【００２５】
この切り起し片２８は、図３に示すように、折り目２９を要側とした扇形状に形成され、この扇形は、折り目２９端部と円弧２８ａ端部とを結ぶ両側縁部２８ｂ，２８ｂが互いに対称配置の円弧状に形成されている。
【００２６】
そして、この切り起し片２８を指や器具等で下向き、即ち下側フラップ板１６側に押して折り目２９より下向きに起こすことによって、切り起し片２８を係止孔２７に挿入させ、係止させるようになっている。
【００２７】
また、係止孔２７及び切り起し片２８の両側縁部を円弧状に形成したことにより、好適な係止状態が得られるようになっている。
【００２８】
この包装用箱１０下端の前右隅部及び後左隅部には、包装用箱１０内に収容された内箱の下端に当接し、内箱が包装用箱１０より抜け出ないようにする抜け止め部３０，３０が形成されている。
【００２９】
この抜け止め部３０は、前側板１１から右側板１４にかけて及び後側板１２から左側板１３にかけて、側板の下縁と平行な切れ目３１を入れる事により形成され、切れ目３１両端部の折り目３２，３２より内側に折り曲げることにより反転して内側に突出するようになっている。
【００３０】
このように構成された包装用箱１０は、下側フラップ板１６，１６を折り目１５より折り曲げるとともに、両側縁の係止突部２６，２６を係止用孔２５に挿入して係止させ、更に、折り目１７より折り曲げて下側フラップ板１６の上側に上側フラップ板１８，１８を重ね合わせ、切り起し片２８を上面より指で押圧して折り目２９より下向きに切り起こさせて切り起し片２８を係止孔２７に係止させることにより上面の中央の開口部を残して閉鎖するようになっている。
【００３１】
また、切り起し片２８を係止孔２７より取り外して係止状態を解除し、下側フラップ板１６の両側縁の係止突部２６，２６を係止用孔２５より引抜くことにより下側フラップ板１６，１６及び上側フラップ板１８，１８を容易に開くことができるようになっている。
【００３２】
そして、切り起し片２８の係止孔２７に対する着脱は、下側フラップ板１６，１６の係止突部２６，２６を係止用孔２５に挿入して係止することにより下側フラップ板１６，１６が箱上面部に固定された状態にあるので、切り起し片２８を係止孔２７に対して安定した状態で行えるようになっている。
【００３３】
次に、この包装用箱１０を使用した包装部材について説明する。
【００３４】
図４は、本発明に係る包装部材の一例を示し、図中符号４０は内箱である。
【００３５】
この包装部材では、包装用箱１０内に内箱４０を収容し、包装用箱１０によって内箱４０の外側面をカバーするようになっている。
【００３６】
内箱４０は、ボール紙又は段ボール紙等の紙板状材を所定の形状に打ち抜き、それを切曲加工することにより、底板４１と、底板４１の四辺より立ち上がった前側板４２、後側板４３、左側板４４及び右側板４５と、前方に傾いた開閉可能な蓋部４６とを有する箱状に形成されている。
【００３７】
蓋部４６は、前側板４２の底板とは反対側の縁部に折り目を介して一体に形成され、折り目を軸に箱の上面部を開閉できるようになっている。
【００３８】
この内箱４０の前面部、即ち、前側板４２から左側板４４、右側板４５及び蓋部４６にかけて透視窓４７が形成されている。
【００３９】
この透視窓４７には、透明なプラスチックフィルムが貼られ、箱内部に収容した収容物を、この透視窓４７を通して見ることができるようになっている。
【００４０】
また、この内箱４０には、端部をそれぞれ左右側板１４の上部に係止させた手提げ部材４８が備えられている。
【００４１】
尚、内箱４０の高さｈは、包装用箱１０の高さより、包装用箱１０の下縁から切れ目３１までの高さ分ｔだけ低く形成され、外形は包装用箱１０内に挿入できる程度の大きさとなっている。
【００４２】
このように構成された包装部材は、内箱４０の上側より包装用箱１０を被せることにより内箱４０を包装用箱１０内に収容してカバーすることができ、包装用箱１０の透視窓２４及び透視窓４７を通して内箱４０内の収容物を見ることができる。
【００４３】
また、包装用箱１０の抜け止め部３０によって内箱４０の底部が支持され、持ち運びの際等でも包装用箱１０より内箱４０が抜け出ないようになっている。
【００４４】
一方、内箱４０を包装用箱１０より取り出す際には、切り起し片２８を係止孔２７より取り外し、係止突部２６，２６…を係止用孔２５より取り外して、上下側両フラップ板１６，１８を開いて上面を開口させ、上面から手提げ部材４８を引っ張って取り出せるようになっている。
【００４５】
尚、上述の実施例では、包装用箱１０を下面が開口した形状に形成し、内箱４０の外側カバーとして使用する例を示したが、図５に示すように、底板５１を設けて野菜等の梱包に使用できるようにした包装用箱５０であってもよい。尚、上述の実施例と同一の部分には同一符号を付して説明を省略する。
【００４６】
また、上述の実施例では、係止孔及び切り起し片を扇形状に形成した例について説明したが、その形状は上述の例に示す形状に限定されず、例えば、図６に示すように、係止孔６０，６０を二等辺三角形状に形成するとともに、切り起し片６１，６１を台形状に形成するようにしてもよい。
【００４７】
切り起し片６１は、下側フラップ板１６に上側フラップ板１８を重ねあわせた際に、台形の下辺と係止孔６０の三角形の下辺とが一致して重なるようになっている。
【００４８】
また、切り起し片６１の折り目６２とは反対側の縁部には、三角形状の係止突起６３が一体に形成されている。
【００４９】
尚、上述の実施例では、フラップ板の前後又は左右方向長さが短いものを例に説明したが、フラップ板の前後又は左右方向長さは、折り目とは反対側の縁部が互いに突き合わされる長さ等、使用目的に合わせて決定することができる。
【図面の簡単な説明】
【００５０】
【図１】本発明に係る包装用箱の一例を示す斜視図である。
【図２】同上の包装用箱の展開図である。
【図３】図１中の係止孔と切り起し片との着脱状態を示す斜視図である。
【図４】本発明に係る包装部材の一例を示す分解斜視図である。
【図５】本発明に係る包装用箱の他の一例を示す斜視図である。
【図６】係止孔及び切り起し片の他の一例を示す斜視図である。
【符号の説明】
【００５１】
１０  包装用箱
１１  前側板
１２  後側板
１３  左側板
１４  右側板
１５  折り目
１６  下側フラップ板
１７  折り目
１８  上側フラップ板
１９〜２１  折り目
２２  折り目
２３  糊しろ
２４  透視窓（包装用箱）
２５  係止用孔
２６  係止突部
２７  係止孔
２８  切り起し片
２９  折り目
３０  抜け止め部
３１  切れ目
３２  折り目
４０  内箱
４１  底板
４２  前側板
４３  後側板
４４  左側板
４５  右側板
４６  蓋部
４７  透視窓（内箱）
４８  手提げ部材
５０  包装用箱
５１  底板
６０  係止孔
６１  切り起し片
６２  折り目
６３  係止突起
【図１】
2006206068.tif 000003
【図２】
2006206068.tif 000004
【図３】
2006206068.tif 000005
【図４】
2006206068.tif 000006
【図５】
2006206068.tif 000007
【図６】
2006206068.tif 000008